(57)【要約】      （修正有）【課題】油圧ショベルのバケットを外し、油圧ショベルの先端のブームの先端穴を利用して、モンケン落下装置を先端ブームの先端穴に取付け、杭の支持力検査を行うことができる油圧ショベルを提供する。【解決手段】油圧ショベル１の先端ブーム２のバケットを取り外し先端ブームのバケット取り付ける先端穴に、真矢設置装置５付ボルト、またはピンを差し込み、固定し、真矢設置装置内に真矢４を設置し、油圧ショベルにウインチ６を設置する。ウインチのワイヤー７を先端ブームに設置した滑車８に通し、フック付滑車９にワイヤーを通し、先端ブームでワイヤーの先端を止める。フックでモンケン落下装置１０を吊り上げ、モンケン１１をモンケン落下装置で引っ掛けて、ウインチで吊り上げる。真矢を杭１２の所にもって行き、モンケン落下装置のロープ１４を引っ張ると、モンケンが落下し、杭に当たり、杭の下りを計り、杭の支持力検査が出来る。【選択図】図１
0003199718.tif 000002
【実用新案登録請求の範囲】
【請求項１】
油圧ショベル（１）の先端ブーム（２）のバケットを取り外し先端ブーム（２）のバケット取り付ける先端穴（３）に、真矢設置装置（５）付ボルト（１５）、またはピンを差し込み、ナット（１６）、又はピンでボルト（１５）、又はピンを固定し、真矢設置装置（５）内に真矢（４）を設置し、油圧ショベル（１）にウインチ（６）を設置し、ウインチ（６）のワイヤー（７）を先端ブーム（２）に設置した滑車（８）に通し、フック付滑車（９）にワイヤー（７）を通し、先端ブーム（２）でワイヤー（７）の先端を止める。
そして、フック（９）でモンケン落下装置（１０）を真矢（４）を中に通し、吊り上げ、モンケン（１１）を真矢（４）を中に通し、モンケン落下装置（１０）で引っ掛けて、ウインチ（６）で吊り上げる。そして真矢（４）を杭（１２）の所にもって行き、モンケン落下装置（１０）のロープ（１４）を引っ張ると、モンケン（１１）が落下し、杭（１２）に当たり、杭（１２）の下りを計り、杭（１２）の支持力検査が出来る装置を油圧ショベル（１）に設置されている、油圧ショベル。
【考案の詳細な説明】
【技術分野】
【０００１】  本考案は建設機械の油圧ショベルのバケットを外し、杭のモンケン打設装置を取付けて使用することに関するものである。
【背景技術】
【０００２】  狭い道路に面した、現場の杭工事は、大きな杭打機械が現場に入れず、機械の幅が狭い機械の幅が狭い機械の油圧ショベルを使用して杭打工事をしております。油圧ショベルは元来バケットにより土を削取り土を掘削する機械ですが、そのバケットを外し、油圧モーターを取付け、杭の回転圧入、又はオーガーによる地中に穴を開け杭の打設を行っております。
【考案の開示】
【考案が解決しようとする課題】
【０００３】  油圧ショベルのバケットを外し、油圧モーターを取付け、鋼管杭の回転圧入工法で鋼管杭を地中に回転圧入しますが、回転圧入した鋼管杭の支持力が、どの位あるのか計らなければなりません。杭の支持力を計るのには、鉄のモンケンをある高さから落として、どの位杭が下がったかを計って支持力を出します。本考案は、油圧ショベルのバケットを外し、油圧ショベルの先端のブームの先端穴を利用して、モンケン落下装置を先端ブームの先端穴に取付け、杭の支持力検査を行う装置です。
【課題を解決しようとする手段】
【０００４】  本考案を図と共に説明すれば図１の様に、建設機械の油圧ショベル（１）のバケットを外した先端のブーム（２）の先端穴（３）に中空円筒状の真矢（４）を真矢設置装置（５）付のネジのボルト（１５）を先端穴（３）の中に入れ込み、ナット（１６）で止める。そして油圧ショベル（１）の運転席の近くにウインチ（６）を取付け、先端ブーム（２）の先端穴（３）の下部に滑車（８）を取付け、ウインチ（６）のワイヤー（７）を滑車（８）に通し、滑車（８）の下側にフック付滑車（９）をもうけ、フック付滑車（９）にワイヤー（７）を通し、先端ブーム（２）でワイヤーの先端を止める。
【０００５】  そして、フック（９）でモンケン落下装置（１０）を真矢（４）を中に通し吊り上げ、モンケン（１１）を真矢（４）を中に通し、モンケン落下装置（１０）に引っ掛けて、ウインチ（６）で吊り上げる。そして鋼管杭（１２）の上にカバー（１３）を取付け、真矢（４）をカバー（１３）と鋼管杭（１２）の中に入れ込み、モンケン落下装置（１０）のロープ（１４）を下に引っ張るとモンケン（１１）が落下して、鋼管杭が下がり、杭の支持力検査が出来る。
【０００６】  又、別の使用方法として、油圧ショベル（１）に、油圧モーターを取付けオーガーで地中に穴を開け、その穴の中に杭を建込み、建込んだ杭を杭の支持力検査と同様に、モンケン（１１）を落下させ、杭を打設することが出来る。
【産業上の利用可能性】
【０００７】  従来、モンケン打設装置の支持力検査で使用する建設機械は移動式クレーン車で行っておりますが、狭い道路に面した現場では、移動式クレーン車が現場に入れない状況があります。油圧ショベルは狭い道路でも入って行くことが出来るので大変便利である。
【図面の簡単な説明】
【０００８】
【図１】本考案の油圧ショベル
【図２】本考案のモンケン落下装置の取付装置
【符号の説明】１、  油圧ショベル
２、  先端ブーム
３、  先端穴
４、  真矢
５、  真矢設置装置
６、    ウインチ
７、  ワイヤー
８、  滑車
９、  フック付滑車
１０、モンケン落下装置
１１、モンケン
１２、鋼管杭
１３、カバー
１４、ロープ
１５、ボルト
１６、ナット
【図１】
0003199718.tif 000003
【図２】
0003199718.tif 000004
【手続補正書】
【提出日】平成27年4月13日(2015.4.13)
【手続補正１】
【補正対象書類名】実用新案登録請求の範囲
【補正対象項目名】全文
【補正方法】変更
【補正の内容】
【実用新案登録請求の範囲】
【請求項１】
油圧ショベル（１）の先端ブーム（２）の先端穴（３）に、真矢設置装置（５）付ボルト（１５）又はピンを差し込み、ナット（１６）で固定し、真矢設置装置（５）に真矢（４）モンケン（１１）モンケン落下装置（１０）ウインチ（６）滑車（８）フック付き滑車（９）ワイヤー（７）からなる杭（１２）の支持力検査装置を油圧ショベル（１）に設置されている油圧ショベル。
【手続補正書】
【提出日】平成27年6月17日(2015.6.17)
【手続補正１】
【補正対象書類名】実用新案登録請求の範囲
【補正対象項目名】全文
【補正方法】変更
【補正の内容】
【実用新案登録請求の範囲】
【請求項１】
油圧ショベル（１）の先端ブーム（２）のバケットを取り外し先端ブーム（２）のバケット取り付ける先端穴（３）に、真矢設置装置（５）付ボルト（１５）、またはピンを差し込み、ナット（１６）、又はピンでボルト（１５）、又はピンを固定し、真矢設置装置（５）内に真矢（４）を設置し、油圧ショベル（１）にウインチ（６）を設置し、ウインチ（６）のワイヤー（７）を先端ブーム（２）に設置した滑車（８）に通し、フック付滑車（９）にワイヤー（７）を通し、先端ブーム（２）でワイヤー（７）の先端を止める、
そして、フック（９）でモンケン落下装置（１０）を真矢（４）を中に通し、吊り上げ、モンケン（１１）を真矢（４）を中に通し、モンケン落下装置（１０）で引っ掛けて、ウインチ（６）で吊り上げる、そして真矢（４）を杭（１２）の所にもって行き、モンケン落下装置（１０）のロープ（１４）を引っ張ると、モンケン（１１）が落下し、杭（１２）に当たり、杭（１２）の下りを計り、杭（１２）の支持力検査が出来る装置を油圧ショベル（１）に設置されている、油圧ショベル。